(57)【要約】【課題】  広角端における画角が大きく、例えば、８０°を超える大きさにも拘わらず小型化及び高性能化を図る。【解決手段】  物体側から順に配置された正の屈折力を有する第１レンズ群と負の屈折力を有する第２レンズ群と正の屈折力を有する第３レンズ群と正の屈折力を有する第４レンズ群とを有し、以下の条件式（１）及び条件式（２）を満足する。（１）０．９５＜｜ｆｗ１２｜／ｆｗ＜１．２（２）１４０＜ｆ１／βｔ２３４＜１５０但し、ｆｗ１２：広角端における第１レンズ群と第２レンズ群の合成焦点距離、ｆｗ：広角端における全系での焦点距離、ｆ１：第１レンズ群の焦点距離、βｔ２３４：望遠端における第２レンズ群と第３レンズ群と第４レンズ群の合成倍率とする。【選択図】  図２
2012252278.tif 000002
【特許請求の範囲】
【請求項１】
物体側から順に配置された正の屈折力を有する第１レンズ群と負の屈折力を有する第２レンズ群と正の屈折力を有する第３レンズ群と正の屈折力を有する第４レンズ群とを有し、
広角端から望遠端までレンズの位置状態が変化する際に、前記第１レンズ群と前記第２レンズ群の間隔が増大し、前記第２レンズ群と前記第３レンズ群の間隔が減少し、前記第３レンズ群と前記第４レンズ群の間隔が減少し、
前記第２レンズ群と前記第３レンズ群の間に開口絞りが配置され、
前記第２レンズ群が近距離合焦に際して移動し、
以下の条件式（１）及び条件式（２）を満足する
ズームレンズ。
（１）０．９５＜｜ｆｗ１２｜／ｆｗ＜１．２
（２）１４０＜ｆ１／βｔ２３４＜１５０
但し、
ｆｗ１２：広角端における第１レンズ群と第２レンズ群の合成焦点距離
ｆｗ：広角端における全系での焦点距離
ｆ１：第１レンズ群の焦点距離
βｔ２３４：望遠端における第２レンズ群と第３レンズ群と第４レンズ群の合成倍率
とする。
【請求項２】
前記第１レンズ群が１枚の負レンズと２枚の正レンズから成り、
以下の条件式（３）を満足する
請求項１に記載のズームレンズ。
（３）Ｎｄ１＞１．７５
但し、
Ｎｄ１：第１レンズ群の２枚の正レンズの屈折率
とする。
【請求項３】
前記第３レンズ群が物体側から順に配置された正レンズと正レンズと負レンズから成り、
以下の条件式（４）を満足する
請求項１に記載のズームレンズ。
（４）ＴＬ３／ＴＬｗ＜０．０９５
但し、
ＴＬ３：第３レンズ群の厚み
ＴＬｗ：広角端における光学全長
とする。
【請求項４】
以下の条件式（５）を満足する
請求項１に記載のズームレンズ。
（５）０．０＜（Ｒ３ｒ−Ｒ４ｆ）／（Ｒ３ｒ＋Ｒ４ｆ）＜０．５５
Ｒ３ｒ：第３レンズ群の最も像側の面の曲率半径
Ｒ４ｆ：第４レンズ群の最も物体側の面の曲率半径
とする。
【請求項５】
以下の条件式（６）を満足する
請求項１に記載のズームレンズ。
（６）４≦２−βｗ３４−１／βｗ３４＜４．１
但し、
βｗ３４：広角端における第３レンズ群と第４レンズ群の合成倍率
とする。
【請求項６】
ズームレンズと前記ズームレンズによって形成された光学像を電気的信号に変換する撮像素子とを備え、
前記ズームレンズは、
物体側から順に配置された正の屈折力を有する第１レンズ群と負の屈折力を有する第２レンズ群と正の屈折力を有する第３レンズ群と正の屈折力を有する第４レンズ群とを有し、
広角端から望遠端までレンズの位置状態が変化する際に、前記第１レンズ群と前記第２レンズ群の間隔が増大し、前記第２レンズ群と前記第３レンズ群の間隔が減少し、前記第３レンズ群と前記第４レンズ群の間隔が減少し、
前記第２レンズ群と前記第３レンズ群の間に開口絞りが配置され、
前記第２レンズ群が近距離合焦に際して移動し、
以下の条件式（１）及び条件式（２）を満足する
撮像装置。
（１）０．９５＜｜ｆｗ１２｜／ｆｗ＜１．２
（２）１４０＜ｆ１／βｔ２３４＜１５０
但し、
ｆｗ１２：広角端における第１レンズ群と第２レンズ群の合成焦点距離
ｆｗ：広角端における全系での焦点距離
ｆ１：第１レンズ群の焦点距離
βｔ２３４：望遠端における第２レンズ群と第３レンズ群と第４レンズ群の合成倍率
とする。
【発明の詳細な説明】
【技術分野】
【０００１】
本技術はズームレンズ及び撮像装置に関する。詳しくは、特に、デジタル一眼レフカメラに装着可能な交換レンズに好適に用いられ、広角端の画角が、例えば、８０°を超えるにも拘わらず小型化及び高性能化を図るズームレンズ及び撮像装置の技術分野に関する。
【背景技術】
【０００２】
従来より、カメラ等の撮像装置において、ＣＣＤ（Charge Coupled Device）やＣＭＯＳ（Complementary Metal-Oxide Semiconductor）等の光電変換素子を有する撮像素子を用い、撮像素子面に形成された被写体像の光量を光電変換素子によって電気的出力に変換して被写体像を記録する方法が知られている。
【０００３】
近年、技術の進歩によって撮像素子が高画素化され、より高い空間周波数の記録が可能になり、光学系に対しても、より高性能なレンズが求められるようになった。また、ユーザーニーズも多様化し、被写体や撮影場所に合わせて最適なレンズを選択したいという要望も強くなっており、ズームレンズ、特に、交換レンズ用のズームレンズの重要性が一層増している。
【０００４】
従って、Ｆナンバーの明るい広角化されたズームレンズの要望も高く、これらの要求を満足するために、第１レンズ群に負レンズ群を配置したマイナスリードタイプに関する提案がこれまで多く行われてきた（例えば、特許文献１参照）。
【０００５】
一方、近年、加工精度や量産性の向上により、非球面レンズが一般的となり、第１レンズ群に正レンズ群を配置したプラスリードタイプの提案も多く行われるようになった（例えば、特許文献２参照）。このような提案により、プラスリードタイプにおける広角化と小型化が実現されるようになった。
【０００６】
【特許文献１】特開２００５−４９８４３号公報
【特許文献２】特開２００７−１３３１３８号公報
【発明の開示】
【発明が解決しようとする課題】
【０００７】
ところが、特許文献１に記載されたようなマイナスリードタイプの光学系にあっては、広角化と十分なバックフォーカスを確保することが可能であるが、広角端における光学全長が長くなり、最も物体側のレンズの径及び重量が大きくなるという問題がある。
【０００８】
また、特許文献２に記載されたようなプラスリードタイプの光学系にあっては、広角化とレンズ全長の短縮化を行うことが可能であるが、広角端における画角が、例えば、８０°を超えると、一層の広角化と十分なバックフォーカスを確保する必要が生じるために、レンズ全長と光学フィルターの径が大きくなってしまうという問題がある。
【０００９】
そこで、本技術ズームレンズ及び撮像装置は、上記した問題点を克服し、広角端における画角が大きく、例えば、８０°を超える大きさにも拘わらず小型化及び高性能化を図ることを課題とする。
【課題を解決するための手段】
【００１０】
第１に、ズームレンズは、上記した課題を解決するために、物体側から順に配置された正の屈折力を有する第１レンズ群と負の屈折力を有する第２レンズ群と正の屈折力を有する第３レンズ群と正の屈折力を有する第４レンズ群とを有し、広角端から望遠端までレンズの位置状態が変化する際に、前記第１レンズ群と前記第２レンズ群の間隔が増大し、前記第２レンズ群と前記第３レンズ群の間隔が減少し、前記第３レンズ群と前記第４レンズ群の間隔が減少し、前記第２レンズ群と前記第３レンズ群の間に開口絞りが配置され、前記第２レンズ群が近距離合焦に際して移動し、以下の条件式（１）及び条件式（２）を満足するものである。
（１）０．９５＜｜ｆｗ１２｜／ｆｗ＜１．２
（２）１４０＜ｆ１／βｔ２３４＜１５０
但し、
ｆｗ１２：広角端における第１レンズ群と第２レンズ群の合成焦点距離
ｆｗ：広角端における全系での焦点距離
ｆ１：第１レンズ群の焦点距離
βｔ２３４：望遠端における第２レンズ群と第３レンズ群と第４レンズ群の合成倍率
とする。
【００１１】
従って、ズームレンズにあっては、広角端における第１レンズ群と第２レンズ群の合成した屈折力と、望遠端における第１レンズ群の屈折力及び第２レンズ群と第３レンズ群と第４レンズ群の合成倍率が適正化される。
【００１２】
第２に、上記したズームレンズにおいては、前記第１レンズ群が１枚の負レンズと２枚の正レンズから成り、以下の条件式（３）を満足することが望ましい。
（３）Ｎｄ１＞１．７５
但し、
Ｎｄ１：第１レンズ群の２枚の正レンズの屈折率
とする。
【００１３】
ズームレンズが、第１レンズ群が１枚の負レンズと２枚の正レンズから成り、条件式（３）を満足することにより、第１レンズ群に入射する光線が大きく屈折される。
【００１４】
第３に、上記したズームレンズにおいては、前記第３レンズ群が物体側から順に配置された正レンズと正レンズと負レンズから成り、以下の条件式（４）を満足することが望ましい。
（４）ＴＬ３／ＴＬｗ＜０．０９５
但し、
ＴＬ３：第３レンズ群の厚み
ＴＬｗ：広角端における光学全長
とする。
【００１５】
ズームレンズが、第３レンズ群が物体側から順に配置された正レンズと正レンズと負レンズから成り、条件式（４）を満足することにより、第３レンズ群の主点が物体側に位置される。
【００１６】
第４に、上記したズームレンズにおいては、以下の条件式（５）を満足することが望ましい。
（５）０．０＜（Ｒ３ｒ−Ｒ４ｆ）／（Ｒ３ｒ＋Ｒ４ｆ）＜０．５５
Ｒ３ｒ：第３レンズ群の最も像側の面の曲率半径
Ｒ４ｆ：第４レンズ群の最も物体側の面の曲率半径
とする。
【００１７】
ズームレンズが条件式（５）を満足することにより、第３レンズ群から射出された光束を発散させ、光線の高さを高く維持したままで第４レンズ群に入射させることが可能になる。
【００１８】
第５に、上記したズームレンズにおいては、以下の条件式（６）を満足することが望ましい。
（６）４≦２−βｗ３４−１／βｗ３４＜４．１
但し、
βｗ３４：広角端における第３レンズ群と第４レンズ群の合成倍率
とする。
【００１９】
ズームレンズが条件式（６）を満足することにより、第３レンズ群と第４レンズ群の合成倍率が等倍に近い値になる。
【００２０】
撮像装置は、上記した課題を解決するために、ズームレンズと前記ズームレンズによって形成された光学像を電気的信号に変換する撮像素子とを備え、前記ズームレンズは、物体側から順に配置された正の屈折力を有する第１レンズ群と負の屈折力を有する第２レンズ群と正の屈折力を有する第３レンズ群と正の屈折力を有する第４レンズ群とを有し、広角端から望遠端までレンズの位置状態が変化する際に、前記第１レンズ群と前記第２レンズ群の間隔が増大し、前記第２レンズ群と前記第３レンズ群の間隔が減少し、前記第３レンズ群と前記第４レンズ群の間隔が減少し、前記第２レンズ群と前記第３レンズ群の間に開口絞りが配置され、前記第２レンズ群が近距離合焦に際して移動し、以下の条件式（１）及び条件式（２）を満足するものである。
（１）０．９５＜｜ｆｗ１２｜／ｆｗ＜１．２
（２）１４０＜ｆ１／βｔ２３４＜１５０
但し、
ｆｗ１２：広角端における第１レンズ群と第２レンズ群の合成焦点距離
ｆｗ：広角端における全系での焦点距離
ｆ１：第１レンズ群の焦点距離
βｔ２３４：望遠端における第２レンズ群と第３レンズ群と第４レンズ群の合成倍率
とする。
【００２１】
従って、撮像装置にあっては、ズームレンズにおいて、広角端における第１レンズ群と第２レンズ群の合成した屈折力と、望遠端における第１レンズ群の屈折力及び第２レンズ群と第３レンズ群と第４レンズ群の合成倍率が適正化される。    
【発明の効果】
【００２２】
本技術ズームレンズ及び撮像装置は、広角端の画角が大きい、例えば、８０°を超えるにも拘わらず小型化及び高性能化を図ることができる。
【発明を実施するための最良の形態】
【００２３】
以下に、本技術ズームレンズ及び撮像装置を実施するための最良の形態について説明する。
【００２４】
［ズームレンズの構成］
本技術ズームレンズは、物体側から順に配置された正の屈折力を有する第１レンズ群と負の屈折力を有する第２レンズ群と正の屈折力を有する第３レンズ群と正の屈折力を有する第４レンズ群とを有している。
【００２５】
また、本技術ズームレンズは、広角端から望遠端までレンズの位置状態が変化する際に、前記第１レンズ群と前記第２レンズ群の間隔が増大し、前記第２レンズ群と前記第３レンズ群の間隔が減少し、前記第３レンズ群と前記第４レンズ群の間隔が減少し、前記第２レンズ群と前記第３レンズ群の間に開口絞りが配置され、前記第２レンズ群が近距離合焦に際して移動する。
【００２６】
本技術ズームレンズは、広角端状態において、第１レンズ群と第２レンズ群が接近して配置され、これらの２つのレンズ群の合成焦点距離は負の値になるため、第１レンズ群と第２レンズ群を合わせて一つの負レンズ群と見なすことが可能である。同様に、第３レンズ群と第４レンズ群は何れも正レンズ群であり、これらの２つのレンズ群の合成焦点距離は正の値になるため、第３レンズ群と第４レンズ群を合わせて一つの正レンズ群と見なすことが可能である。
【００２７】
従って、本技術ズームレンズは、広角端状態において、物体側から像側へ順に負・正のレトロフォーカス型のズームレンズになり、広画角に最適な構成になる。また、広角端状態においては、第２レンズ群と第３レンズ群の間隔を広げることにより第２レンズ群を通過する軸外光束が光軸から離れた箇所を通過し、その結果、軸上光束と軸外光束を独立して補正することができる。
【００２８】
本技術ズームレンズは、望遠端状態において、第１レンズ群と第２レンズ群の間隔を広げている。また、望遠端状態において、第２レンズ群と第３レンズ群の間隔及び第３レンズ群と第４レンズ群の間隔を狭めており、第２レンズ群と第３レンズ群と第４レンズ群は近接した状態になる。これらの３つのレンズ群の合成焦点距離は正の値になるため、第２レンズ群と第３レンズ群と第４レンズ群を合わせて一つの正レンズ群と見なすことが可能である。
【００２９】
従って、本技術ズームレンズは、望遠端状態において、物体側から像側へ順に正・正の群構成になり、望遠端が標準画角に近い場合に適した群構成になる。
【００３０】
また、望遠端状態において、第２レンズ群と第３レンズ群の間隔を狭めているため、第２レンズ群を追加する軸外光束が光軸に近い箇所を通過する。
【００３１】
このように、各群の屈折力配置及びレンズの位置の変化を最適な形態にすることにより、要求される光学系を達成することができる。また、第２レンズ群を通過する軸外光束の高さを変化させることにより、レンズの位置の変化に伴い発生する軸外収差が良好に補正され、本技術ズームレンズにおいては、特に、第２レンズ群の構成が収差補正に重要な構成とされている。
【００３２】
本技術ズームレンズは、以下の条件式（１）及び条件式（２）を満足するように構成されている。
（１）０．９５＜｜ｆｗ１２｜／ｆｗ＜１．２
（２）１４０＜ｆ１／βｔ２３４＜１５０
但し、
ｆｗ１２：広角端における第１レンズ群と第２レンズ群の合成焦点距離
ｆｗ：広角端における全系での焦点距離
ｆ１：第１レンズ群の焦点距離
βｔ２３４：望遠端における第２レンズ群と第３レンズ群と第４レンズ群の合成倍率
とする。
【００３３】
条件式（１）は、広角端における全系での焦点距離に対する広角端における第１レンズ群と第２レンズ群の合成焦点距離に関する式である。
【００３４】
条件式（１）の下限を下回ると、広角端における第１レンズ群と第２レンズ群の合成した屈折力が大きくなり、光学フィルターの径の小型化や光学全長の短縮化を図ることが可能であるが、コマ収差の増大や偏心敏感度が高くなってしまう。
【００３５】
逆に、条件式（１）の上限を上回ると、広角端における第１レンズ群と第２レンズ群の合成した屈折力が小さくなり、光学フィルターの径の大型化や光学全長の増大を来たしてしまう。
【００３６】
従って、ズームレンズが条件式（１）を満足することにより、広角端における第１レンズ群と第２レンズ群の合成した屈折力が適正化され、光学フィルターの径の小型化や光学全長の短縮化及びコマ収差の低減や偏心敏感度の低減を図ることができる。
【００３７】
条件式（２）は、望遠端における第１レンズ群の焦点距離と、第２レンズ群と第３レンズ群と第４レンズ群の合成倍率との比を規定する式である。
【００３８】
条件式（２）の下限を下回ると、第１レンズ群の屈折力が大きくなるか望遠端における第２レンズ群と第３レンズ群と第４レンズ群の合成倍率が大きくなるため、偏心敏感度が高くなり、製造時に発生する相互偏芯によって著しく光学性能が劣化してしまう。
【００３９】
逆に、条件式（２）の上限値を上回ると、望遠端における第１レンズ群の屈折力が小さくなるか望遠端における第２レンズ群と第３レンズ群と第４レンズ群の合成倍率が小さくなるため、第１レンズ群の径が大型化するか望遠端における必要な焦点距離を確保することができないといった光学仕様上の問題が発生する。
【００４０】
従って、ズームレンズが条件式（２）を満足することにより、望遠端における第１レンズ群の屈折力及び第２レンズ群と第３レンズ群と第４レンズ群の合成倍率が適正化され、偏心敏感度の低減による光学性能の向上及び第１レンズ群の径の小型化を図ることができる。
【００４１】
本技術ズームレンズにおいては、以下の条件（Ｉ）乃至条件（ＩＶ）を満足することが望ましい。
（Ｉ）第１レンズ群の正レンズに高屈折材料を使用する。
（ＩＩ）第３レンズ群を物体側から順に正の第１レンズと正の第２レンズと負の第３レンズの３枚のレンズによって構成する。
（ＩＩＩ）第３レンズ群における最も像側に像側の面が凹面に形成された負レンズを配置し、第４レンズ群における最も物体側に物体側の面が凸面に形成された正レンズを配置する。
（ＩＶ）広角端における第３レンズ群と第４レンズ群の合成倍率を等倍に近い値に設定する。
【００４２】
条件（Ｉ）は、第１レンズ群の小型化、かつ、第１レンズ群において発生する収差を低減するための条件である。
【００４３】
第１レンズ群の正レンズに高屈折材料を使用することにより、第１レンズ群に入射した光線を大きく屈折させることができるため、第１レンズ群のレンズの径を小型化することが可能になる。
【００４４】
また、第１レンズ群の正レンズに低屈折材料を使用した場合に比べ、入射される光線を曲げるためにレンズの曲率半径を小さくする必要がないため、第１レンズ群を通過することにより発生する収差を低減することができる。
【００４５】
条件（ＩＩ）は光学全長を短縮するための条件である。
【００４６】
正レンズ群である第１レンズ群によって収斂された光束を負レンズ群である第２レンズ群によって発散させる構成においては、第３レンズ群の主点が像面側に位置されると光学全長の短縮化が困難になる。
【００４７】
そこで、第３レンズ群を物体側から像側へ順に正・負の構成にすることにより、第３レンズ群の主点を物体側に位置させて光学全長の短縮化を図ることができる。また、正レンズを２枚配置することにより、軸上収差を良好に補正することができる。
【００４８】
条件（ＩＩＩ）は、大口径レンズにおける光線の高さを維持するための条件である。
【００４９】
大口径レンズにおいては、光量を確保するために、光線の高さを高く維持したままで所定の位置に結像させる必要がある。
【００５０】
そこで、第３レンズ群における最も像側の面を凹面に形成することにより、第３レンズ群から射出された光束を発散させ、光線の高さを高く維持したままで第４レンズ群に入射させることができる。また、第４レンズ群の最も物体側の面を凸面に形成することにより、第３レンズ群から射出された光束が第４レンズ群に入射した後に収斂され、所定の光量（Ｆナンバー）を維持したままで撮像面に結像させることができる。
【００５１】
条件（ＩＶ）は、広角端における開口絞りから像面までの全長を短縮するための条件である。
【００５２】
第３レンズ群と第４レンズ群の合成倍率を等倍（β＝−１）に近い値とすることにより、第３レンズ群と第４レンズ群における共役長を短くして広角端における開口絞りから撮像面までの全長を短縮化することができる。
【００５３】
本技術の一実施形態によるズームレンズにあっては、第１レンズ群が１枚の負レンズと２枚の正レンズから成り、以下の条件式（３）を満足することが望ましい。
（３）Ｎｄ１＞１．７５
但し、
Ｎｄ１：第１レンズ群の２枚の正レンズの屈折率
とする。
【００５４】
条件式（３）は、条件（Ｉ）を具体的な数値によって規定する式である。
【００５５】
条件式（３）を満足することにより、第１レンズ群のレンズ径の小型化及び第１レンズ群における収差の発生量を低減することができる。
【００５６】
本技術の一実施形態によるズームレンズにあっては、第３レンズ群が物体側から像側へ順に配置された正レンズと正レンズと負レンズから成り、以下の条件式（４）を満足することが望ましい。
（４）ＴＬ３／ＴＬｗ＜０．０９５
但し、
ＴＬ３：第３レンズ群の厚み
ＴＬｗ：広角端における光学全長
とする。
【００５７】
条件式（４）は、広角端における光学全長と第３レンズ群の厚みとの比を規定する式であり、条件（ＩＩ）に基づく条件式である。
【００５８】
ズームレンズにあっては、大口径レンズにおける十分な光学性能を達成するために、物体側から像側へ順に正・正・負の３枚構成にすることが有効であり、また、条件式（４）を満足することにより、光学全長の短いレンズ構成を実現することができると共に軸上収差を良好に補正することができる。
【００５９】
尚、条件式（４）の上限を上回ると、広角端の全長が長くなるため小型化を図ることが困難になる。
【００６０】
本技術の一実施形態によるズームレンズにあっては、以下の条件式（５）を満足することが望ましい。
（５）０．０＜（Ｒ３ｒ−Ｒ４ｆ）／（Ｒ３ｒ＋Ｒ４ｆ）＜０．５５
Ｒ３ｒ：第３レンズ群の最も像側の面の曲率半径
Ｒ４ｆ：第４レンズ群の最も物体側の面の曲率半径
とする。
【００６１】
条件式（５）は、条件（ＩＩＩ）に基づく条件式であり、第３レンズ群の最も像側の面の曲率半径と第４レンズ群の最も物体側の面の曲率半径との関係を規定する式である。
【００６２】
条件式（５）の上限を上回ると、第３レンズ群の最も像側の面の曲率半径に対する第４レンズ群の最も物体側の面の曲率半径が過度に小さくなるため、コマ収差が良好に補正されないと共に第３レンズ群と第４レンズ群の間の偏芯感度が高くなり製造時に発生する相互偏芯によって著しく光学性能が劣化してしまう。
【００６３】
逆に、条件式（５）の下限を下回ると、第３レンズ群の最も像側の面の曲率半径に対する第４レンズ群の最も物体側の面の曲率半径が過度に大きくなるため、良好に収差補正ができなくなり球面収差と画面周辺部においてコマ収差が発生してしまう。
【００６４】
従って、条件式（５）を満足することにより、各収差を良好に補正して光学性能の向上を図ることができる。
【００６５】
本技術の一実施形態によるズームレンズにあっては、以下の条件式（６）を満足することが望ましい。
（６）４≦２−βｗ３４−１／βｗ３４＜４．１
但し、
βｗ３４：広角端における第３レンズ群と第４レンズ群の合成倍率
とする。
【００６６】
条件式（６）は、条件（ＩＶ）を具体的な数値で規定する式である。
【００６７】
条件式（６）を満足することにより、広角端における開口絞りから撮像面までの距離を最短にすることができ、光学全長の短縮化を図ることができる。
【００６８】
［ズームレンズの数値実施例］
以下に、本技術ズームレンズの具体的な実施の形態及び実施の形態に具体的な数値を適用した数値実施例について、図面及び表を参照して説明する。
【００６９】
尚、以下の各表や説明において示した記号の意味等については、下記に示す通りである。
【００７０】
「Ｓｉ」は物体側から像側へ数えた第ｉ番目の面の面番号、「Ｒｉ」は第ｉ番目の面の近軸曲率半径、「Ｄｉ」は第ｉ番目の面と第ｉ＋１番目の面の間の軸上面間隔（レンズの中心の厚み又は空気間隔）、「Ｎｄ」は第ｉ番目の面から始まるレンズ等のｄ線（λ＝５８７．６ｎｍ）における屈折率、「νｄ」は第ｉ番目の面から始まるレンズ等のｄ線におけるアッベ数を示す。
【００７１】
「Ｓｉ」に関し「ＡＳＰ」は当該面が非球面であることを示し、「Ｒｉ」に関し「ｉｎｆ」は当該面が平面であることを示し、「Ｄｉ」に関し「ＢＦ」はバックフォーカスであることを示す。
【００７２】
「κ」は円錐定数（コーニック定数）、「Ａ」、「Ｂ」、「Ｃ」、「Ｄ」、「Ｅ」はそれぞれ４次、６次、８次、１０次、１２次の非球面係数を示す。
【００７３】
「ｆ」は焦点距離、「Ｆｎｏ」はＦナンバー、「２ω」は画角を示す。
【００７４】
尚、以下の非球面係数を示す各表において、「Ｅ−ｎ」は１０を底とする指数表現、即ち、「１０のマイナスｎ乗」を表しており、例えば、「０．１２３４５Ｅ−０５」は「０．１２３４５×（１０のマイナス五乗）」を表している。
【００７５】
各実施の形態において用いられたズームレンズには、レンズ面が非球面に形成されたものがある。非球面形状は、「ｘ」をレンズ面の頂点からの光軸方向における距離（サグ量）、「ｙ」を光軸方向に垂直な方向における高さ（像高）、「ｃ」をレンズの頂点における近軸曲率（曲率半径の逆数）、「κ」を円錐定数（コーニック定数）、「Ａ」、「Ｂ」、「Ｃ」、「Ｄ」、「Ｅ」をそれぞれ４次、６次、８次、１０次、１２次の非球面係数とすると、以下の数式１によって定義される。
【００７６】
【数１】
2012252278.tif 000003
【００７７】
図１は、本発明の各実施の形態におけるズームレンズの屈折力配分を示した図である。各実施の形態は、正の屈折力を有する第１レンズ群ＧＲ１と、負の屈折力を有する第２レンズ群ＧＲ２と、正の屈折力を有する第３レンズ群ＧＲ３と、正の屈折力を有する第４レンズ群ＧＲ４とが物体側より像側へ順に配置されて成る。
【００７８】
各実施の形態において、広角端から望遠端までレンズの位置状態が変化する際に、第１レンズ群ＧＲ１と第２レンズ群ＧＲ２の間隔が増大し、第２レンズ群Ｇ２と第３レンズ群ＧＲ３の間隔が減少し、第３レンズ群ＧＲ３と第４レンズ群ＧＲ４の間隔が減少する。このとき、第２レンズ群ＧＲ２は近距離合焦時に際して移動する。
【００７９】
図２及び図６は、それぞれ本技術ズームレンズの第１の実施の形態及び第２の実施の形態におけるズームレンズ１及びズームレンズ２のレンズ構成を示している。
【００８０】
これらの各図において、上段は広角端状態（Ｗ）、中段は中間焦点距離状態（Ｍ）、下段は望遠端状態（Ｔ）におけるレンズの位置を示している。
【００８１】
＜第１の実施の形態＞
図２は、本技術の第１の実施の形態におけるズームレンズ１のレンズ構成を示している。
【００８２】
ズームレンズ１は、正の屈折力を有する第１レンズ群ＧＲ１と、負の屈折力を有する第２レンズ群ＧＲ２と、正の屈折力を有する第３レンズ群ＧＲ３と、正の屈折力を有する第４レンズ群ＧＲ４とが物体側から像側へ順に配置されて成る。
【００８３】
ズームレンズ１は変倍比が２．９４倍にされている。
【００８４】
第１レンズ群ＧＲ１は、物体側に凸面を向けたメニスカス形状の負レンズＧ１と両凸形状の正レンズＧ２とが接合されて成る接合レンズと、物体側に凸面を向けたメニスカス形状の正レンズＧ３とが物体側から像側へ順に配置されて構成されている。
【００８５】
第２レンズ群ＧＲ２は、物体側に凸面を向けたメニスカス形状の負レンズＧ４と、両凹形状の負レンズＧ５と、両凸形状の正レンズＧ６と、両凹形状の負レンズＧ７と両凸形状の正レンズＧ８とが接合されて成る接合レンズとが物体側から像側へ順に配置されて構成されている。負レンズＧ４は複合非球面を有するレンズとして形成されている。
【００８６】
第３レンズ群ＧＲ３は、両凸形状の正レンズＧ９と、物体側に凸面を向けたメニスカス形状の正レンズＧ１０と、両凹形状の負レンズＧ１１とが物体側から像側へ順に配置されて構成されている。
【００８７】
第４レンズ群ＧＲ４は、両凸形状の正レンズＧ１２と、両凹形状の負レンズＧ１３と、両凹形状の負レンズＧ１４と両凸形状の正レンズＧ１５とが接合されて成る接合レンズと、両凸形状の正レンズＧ１５とが物体側から像側へ順に配置されて構成されている。負レンズＧ１３は複合非球面を有するレンズとして形成されている。
【００８８】
第４レンズ群ＧＲ４と像面ＩＭＧの間には図示しないフィルターとカバーガラスが物体側から像側へ順に配置されている。
【００８９】
開口絞りＳは第２レンズ群ＧＲ２と第３レンズ群ＧＲ３の間において第３レンズ群ＧＲ３の物体側における近傍に配置され、第３レンズ群ＧＲ３と一体に移動する。
【００９０】
表１に、第１の実施の形態におけるズームレンズ１に具体的な数値を適用した数値実施例１のレンズデータを示す。
【００９１】
【表１】
2012252278.tif 000004
【００９２】
ズームレンズ１において、第２レンズ群ＧＲ２の負レンズＧ４の物体側の面（第６面）と第４レンズ群ＧＲ４の負レンズＧ１３の像側の面（第２７面）は非球面に形成されている。数値実施例１における非球面の４次、６次、８次、１０次、１２次の非球面係数Ａ、Ｂ、Ｃ、Ｄ、Ｅを円錐定数κと共に表２に示す。
【００９３】
【表２】
2012252278.tif 000005
【００９４】
数値実施例１の広角端状態、中間焦点距離状態及び望遠端状態における焦点距離ｆ、ＦナンバーＦｎｏ及び画角２ωを表３に示す。
【００９５】
【表３】
2012252278.tif 000006
【００９６】
ズームレンズ１において、広角端状態と望遠端状態の間の変倍に際して、第１レンズ群ＧＲ１と第２レンズ群ＧＲ２の間の面間隔Ｄ６、第２レンズ群ＧＲ２と開口絞りＳの間の面間隔Ｄ１７、第３レンズ群ＧＲ３と第４レンズ群ＧＲ４の間の面間隔Ｄ２４及びバックフォーカスＢＦが変化する。数値実施例１における各面間隔の広角端状態、中間焦点距離状態及び望遠端状態における可変間隔を表４に示す。
【００９７】
【表４】
2012252278.tif 000007
【００９８】
図３乃至図５は数値実施例１の無限遠合焦状態における諸収差図を示し、図３は広角端状態、図４は中間焦点距離状態、図５は望遠端状態における諸収差図を示す。
【００９９】
図３乃至図５には、非点収差図において、実線でサジタル像面における値を示し、破線でメリディオナル像面における値を示す。
【０１００】
各収差図から、数値実施例１は諸収差が良好に補正され、優れた結像性能を有していることが明らかである。
【０１０１】
＜第２の実施の形態＞
図６は、本技術の第２の実施の形態におけるズームレンズ２のレンズ構成を示している。
【０１０２】
ズームレンズ２は、正の屈折力を有する第１レンズ群ＧＲ１と、負の屈折力を有する第２レンズ群ＧＲ２と、正の屈折力を有する第３レンズ群ＧＲ３と、正の屈折力を有する第４レンズ群ＧＲ４とが物体側から像側へ順に配置されて成る。
【０１０３】
ズームレンズ２は変倍比が２．９４倍にされている。
【０１０４】
第１レンズ群ＧＲ１は、物体側に凸面を向けたメニスカス形状の負レンズＧ１と物体側に凸面を向けたメニスカス形状の正レンズＧ２とが接合されて成る接合レンズと、物体側に凸面を向けたメニスカス形状の正レンズＧ３とが物体側から像側へ順に配置されて構成されている。
【０１０５】
第２レンズ群ＧＲ２は、物体側に凸面を向けたメニスカス形状の負レンズＧ４と、両凹形状の負レンズＧ５と、両凸形状の正レンズＧ６と、両凹形状の負レンズＧ７と両凸形状の正レンズＧ８とが接合されて成る接合レンズとが物体側から像側へ順に配置されて構成されている。負レンズＧ４は複合非球面を有するレンズとして形成されている。
【０１０６】
第３レンズ群ＧＲ３は、両凸形状の正レンズＧ９と、物体側に凸面を向けたメニスカス形状の正レンズＧ１０と、両凹形状の負レンズＧ１１とが物体側から像側へ順に配置されて構成されている。
【０１０７】
第４レンズ群ＧＲ４は、両凸形状の正レンズＧ１２と、両凹形状の負レンズＧ１３と、両凹形状の負レンズＧ１４と両凸形状の正レンズＧ１５とが接合されて成る接合レンズと、両凸形状の正レンズＧ１５とが物体側から像側へ順に配置されて構成されている。負レンズＧ１３は複合非球面を有するレンズとして形成されている。
【０１０８】
第４レンズ群ＧＲ４と像面ＩＭＧの間には図示しないフィルターとカバーガラスが物体側から像側へ順に配置されている。
【０１０９】
開口絞りＳは第２レンズ群ＧＲ２と第３レンズ群ＧＲ３の間において第３レンズ群ＧＲ３の物体側における近傍に配置され、第３レンズ群ＧＲ３と一体に移動する。
【０１１０】
表５に、第２の実施の形態におけるズームレンズ２に具体的な数値を適用した数値実施例２のレンズデータを示す。
【０１１１】
【表５】
2012252278.tif 000008
【０１１２】
ズームレンズ２において、第２レンズ群ＧＲ２の負レンズＧ４の物体側の面（第６面）と第４レンズ群ＧＲ４の負レンズＧ１３の像側の面（第２７面）は非球面に形成されている。数値実施例２における非球面の４次、６次、８次、１０次、１２次の非球面係数Ａ、Ｂ、Ｃ、Ｄ、Ｅを円錐定数κと共に表６に示す。
【０１１３】
【表６】
2012252278.tif 000009
【０１１４】
数値実施例２の広角端状態、中間焦点距離状態及び望遠端状態における焦点距離ｆ、ＦナンバーＦｎｏ及び画角２ωを表７に示す。
【０１１５】
【表７】
2012252278.tif 000010
【０１１６】
ズームレンズ２において、広角端状態と望遠端状態の間の変倍に際して、第１レンズ群ＧＲ１と第２レンズ群ＧＲ２の間の面間隔Ｄ６、第２レンズ群ＧＲ２と開口絞りＳの間の面間隔Ｄ１７、第３レンズ群ＧＲ３と第４レンズ群ＧＲ４の間の面間隔Ｄ２４及びバックフォーカスＢＦが変化する。数値実施例２における各面間隔の広角端状態、中間焦点距離状態及び望遠端状態における可変間隔を表８に示す。
【０１１７】
【表８】
2012252278.tif 000011
【０１１８】
図７乃至図９は数値実施例２の無限遠合焦状態における諸収差図を示し、図７は広角端状態、図８は中間焦点距離状態、図９は望遠端状態における諸収差図を示す。
【０１１９】
図７乃至図９には、非点収差図において、実線でサジタル像面における値を示し、破線でメリディオナル像面における値を示す。
【０１２０】
各収差図から、数値実施例２は諸収差が良好に補正され、優れた結像性能を有していることが明らかである。
【０１２１】
［ズームレンズの条件式の各値］
以下に、本技術ズームレンズの条件式の各値について説明する。
【０１２２】
表９にズームレンズ１及びズームレンズ２における前記条件式（１）乃至条件式（６）の各値を示す。
【０１２３】
【表９】
2012252278.tif 000012
【０１２４】
表９から明らかなように、ズームレンズ１及びズームレンズ２は条件式（１）乃至条件式（６）を満足するようにされている。
【０１２５】
［撮像装置の構成］
本技術撮像装置は、ズームレンズとズームレンズによって形成された光学像を電気的信号に変換する撮像素子とを備え、ズームレンズが、物体側から順に配置された正の屈折力を有する第１レンズ群と負の屈折力を有する第２レンズ群と正の屈折力を有する第３レンズ群と正の屈折力を有する第４レンズ群とを有している。
【０１２６】
また、本技術撮像装置は、ズームレンズが、広角端から望遠端までレンズの位置状態が変化する際に、前記第１レンズ群と前記第２レンズ群の間隔が増大し、前記第２レンズ群と前記第３レンズ群の間隔が減少し、前記第３レンズ群と前記第４レンズ群の間隔が減少し、前記第２レンズ群と前記第３レンズ群の間に開口絞りが配置され、前記第２レンズ群が近距離合焦に際して移動する。
【０１２７】
本技術撮像装置は、ズームレンズが、広角端状態において、第１レンズ群と第２レンズ群が接近して配置され、これらの２つのレンズ群の合成焦点距離は負の値になるため、第１レンズ群と第２レンズ群を合わせて一つの負レンズ群と見なすことが可能である。同様に、第３レンズ群と第４レンズ群は何れも正レンズ群であり、これらの２つのレンズ群の合成焦点距離は正の値になるため、第３レンズ群と第４レンズ群を合わせて一つの正レンズ群と見なすことが可能である。
【０１２８】
従って、本技術撮像装置は、ズームレンズが、広角端状態において、物体側から像側へ順に負・正のレトロフォーカス型のズームレンズになり、広画角に最適な構成になる。また、広角端状態においては、第２レンズ群と第３レンズ群の間隔を広げることにより第２レンズ群を通過する軸外光束が光軸から離れた箇所を通過し、その結果、軸上光束と軸外光束を独立して補正することができる。
【０１２９】
本技術撮像装置は、ズームレンズが、望遠端状態において、第１レンズ群と第２レンズ群の間隔を広げている。また、望遠端状態において、第２レンズ群と第３レンズ群の間隔及び第３レンズ群と第４レンズ群の間隔を狭めており、第２レンズ群と第３レンズ群と第４レンズ群は近接した状態になる。これらの３つのレンズ群の合成焦点距離は正の値になるため、第２レンズ群と第３レンズ群と第４レンズ群を合わせて一つの正レンズ群と見なすことが可能である。
【０１３０】
従って、本技術撮像装置は、ズームレンズが、望遠端状態において、物体側から像側へ順に正・正の群構成になり、望遠端が標準画角に近い場合に適した群構成になる。
【０１３１】
また、望遠端状態において、第２レンズ群と第３レンズ群の間隔を狭めているため、第２レンズ群を追加する軸外光束が光軸に近い箇所を通過する。
【０１３２】
このように、各群の屈折力配置及びレンズの位置の変化を最適な形態にすることにより、要求される光学系を達成することができる。また、第２レンズ群を通過する軸外光束の高さを変化させることにより、レンズの位置の変化に伴い発生する軸外収差が良好に補正され、本技術撮像装置においては、特に、ズームレンズの第２レンズ群の構成が収差補正に重要な構成とされている。
【０１３３】
本技術撮像装置は、ズームレンズが、以下の条件式（１）及び条件式（２）を満足するように構成されている。
（１）０．９５＜｜ｆｗ１２｜／ｆｗ＜１．２
（２）１４０＜ｆ１／βｔ２３４＜１５０
但し、
ｆｗ１２：広角端における第１レンズ群と第２レンズ群の合成焦点距離
ｆｗ：広角端における全系での焦点距離
ｆ１：第１レンズ群の焦点距離
βｔ２３４：望遠端における第２レンズ群と第３レンズ群と第４レンズ群の合成倍率
とする。
【０１３４】
条件式（１）は、広角端における全系での焦点距離に対する広角端における第１レンズ群と第２レンズ群の合成焦点距離に関する式である。
【０１３５】
条件式（１）の下限を下回ると、広角端における第１レンズ群と第２レンズ群の合成した屈折力が大きくなり、光学フィルターの径の小型化や光学全長の短縮化を図ることが可能であるが、コマ収差の増大や偏心敏感度が高くなってしまう。
【０１３６】
逆に、条件式（１）の上限を上回ると、広角端における第１レンズ群と第２レンズ群の合成した屈折力が小さくなり、光学フィルターの径の大型化や光学全長の増大を来たしてしまう。
【０１３７】
従って、ズームレンズが条件式（１）を満足することにより、広角端における第１レンズ群と第２レンズ群の合成した屈折力が適正化され、光学フィルターの径の小型化や光学全長の短縮化及びコマ収差の低減や偏心敏感度の低減を図ることができる。
【０１３８】
条件式（２）は、望遠端における第１レンズ群の焦点距離と、第２レンズ群と第３レンズ群と第４レンズ群の合成倍率との比を規定する式である。
【０１３９】
条件式（２）の下限を下回ると、第１レンズ群の屈折力が大きくなるか望遠端における第２レンズ群と第３レンズ群と第４レンズ群の合成倍率が大きくなるため、偏心敏感度が高くなり、製造時に発生する相互偏芯によって著しく光学性能が劣化してしまう。
【０１４０】
逆に、条件式（２）の上限値を上回ると、望遠端における第１レンズ群の屈折力が小さくなるか望遠端における第２レンズ群と第３レンズ群と第４レンズ群の合成倍率が小さくなるため、第１レンズ群の径が大型化するか望遠端における必要な焦点距離を確保することができないといった光学仕様上の問題が発生する。
【０１４１】
従って、ズームレンズが条件式（２）を満足することにより、望遠端における第１レンズ群の屈折力及び第２レンズ群と第３レンズ群と第４レンズ群の合成倍率が適正化され、偏心敏感度の低減による光学性能の向上及び第１レンズ群の径の小型化を図ることができる。
【０１４２】
［撮像装置の一実施形態］
図１０に、本技術撮像装置の一実施形態によるデジタルスチルカメラのブロック図を示す。
【０１４３】
撮像装置（デジタルスチルカメラ）１００は、撮像機能を担うカメラブロック１０と、撮影された画像信号のアナログ−デジタル変換等の信号処理を行うカメラ信号処理部２０と、画像信号の記録再生処理を行う画像処理部３０とを有している。また、撮像装置１００は、撮影された画像等を表示するＬＣＤ（Liquid Crystal Display）４０と、メモリーカード１０００への画像信号の書込及び読出を行うＲ／Ｗ（リーダ／ライタ）５０と、撮像装置の全体を制御するＣＰＵ（Central Processing Unit）６０と、ユーザーによって所要の操作が行われる各種のスイッチ等から成る入力部７０と、カメラブロック１０に配置されたレンズの駆動を制御するレンズ駆動制御部８０とを備えている。
【０１４４】
カメラブロック１０は、ズームレンズ１１（本技術が適用されるズームレンズ１、２）を含む光学系や、ＣＣＤ（Charge Coupled Device）やＣＭＯＳ（Complementary Metal-Oxide Semiconductor）等の撮像素子１２等とによって構成されている。
【０１４５】
カメラ信号処理部２０は、撮像素子１２からの出力信号に対するデジタル信号への変換、ノイズ除去、画質補正、輝度・色差信号への変換等の各種の信号処理を行う。
【０１４６】
画像処理部３０は、所定の画像データフォーマットに基づく画像信号の圧縮符号化・伸張復号化処理や解像度等のデータ仕様の変換処理等を行う。
【０１４７】
ＬＣＤ４０はユーザーの入力部７０に対する操作状態や撮影した画像等の各種のデータを表示する機能を有している。
【０１４８】
Ｒ／Ｗ５０は、画像処理部３０によって符号化された画像データのメモリーカード１０００への書込及びメモリーカード１０００に記録された画像データの読出を行う。
【０１４９】
ＣＰＵ６０は、撮像装置１００に設けられた各回路ブロックを制御する制御処理部として機能し、入力部７０からの指示入力信号等に基づいて各回路ブロックを制御する。
【０１５０】
入力部７０は、例えば、シャッター操作を行うためのシャッターレリーズボタンや、動作モードを選択するための選択スイッチ等によって構成され、ユーザーによる操作に応じた指示入力信号をＣＰＵ６０に対して出力する。
【０１５１】
レンズ駆動制御部８０は、ＣＰＵ６０からの制御信号に基づいてズームレンズ１１の各レンズを駆動する図示しないモータ等を制御する。
【０１５２】
メモリーカード１０００は、例えば、Ｒ／Ｗ５０に接続されたスロットに対して着脱可能な半導体メモリーである。
【０１５３】
以下に、撮像装置１００における動作を説明する。
【０１５４】
撮影の待機状態では、ＣＰＵ６０による制御の下で、カメラブロック１０において撮影された画像信号が、カメラ信号処理部２０を介してＬＣＤ４０に出力され、カメラスルー画像として表示される。また、入力部７０からのズーミングのための指示入力信号が入力されると、ＣＰＵ６０がレンズ駆動制御部８０に制御信号を出力し、レンズ駆動制御部８０の制御に基づいてズームレンズ１１の所定のレンズが移動される。
【０１５５】
入力部７０からの指示入力信号によりカメラブロック１０の図示しないシャッターが動作されると、撮影された画像信号がカメラ信号処理部２０から画像処理部３０に出力されて圧縮符号化処理され、所定のデータフォーマットのデジタルデータに変換される。変換されたデータはＲ／Ｗ５０に出力され、メモリーカード１０００に書き込まれる。
【０１５６】
フォーカシングは、例えば、入力部７０のシャッターレリーズボタンが半押しされた場合や記録（撮影）のために全押しされた場合等に、ＣＰＵ６０からの制御信号に基づいてレンズ駆動制御部８０がズームレンズ１１の所定のレンズを移動させることにより行われる。
【０１５７】
メモリーカード１０００に記録された画像データを再生する場合には、入力部７０に対する操作に応じて、Ｒ／Ｗ５０によってメモリーカード１０００から所定の画像データが読み出され、画像処理部３０によって伸張復号化処理が行われた後、再生画像信号がＬＣＤ４０に出力されて再生画像が表示される。
【０１５８】
尚、上記した実施の形態においては、撮像装置をデジタルスチルカメラに適用した例を示したが、撮像装置の適用範囲はデジタルスチルカメラに限られることはなく、デジタルビデオカメラ、カメラが組み込まれた携帯電話、カメラが組み込まれたＰＤＡ（Personal Digital Assistant）等のデジタル入出力機器のカメラ部等として広く適用することができる。
【０１５９】
［本技術］
本技術は、以下の構成にすることもできる。
【０１６０】
＜１＞物体側から順に配置された正の屈折力を有する第１レンズ群と負の屈折力を有する第２レンズ群と正の屈折力を有する第３レンズ群と正の屈折力を有する第４レンズ群とを有し、広角端から望遠端までレンズの位置状態が変化する際に、前記第１レンズ群と前記第２レンズ群の間隔が増大し、前記第２レンズ群と前記第３レンズ群の間隔が減少し、前記第３レンズ群と前記第４レンズ群の間隔が減少し、前記第２レンズ群と前記第３レンズ群の間に開口絞りが配置され、前記第２レンズ群が近距離合焦に際して移動し、以下の条件式（１）及び条件式（２）を満足するズームレンズ。
（１）０．９５＜｜ｆｗ１２｜／ｆｗ＜１．２
（２）１４０＜ｆ１／βｔ２３４＜１５０
但し、
ｆｗ１２：広角端における第１レンズ群と第２レンズ群の合成焦点距離
ｆｗ：広角端における全系での焦点距離
ｆ１：第１レンズ群の焦点距離
βｔ２３４：望遠端における第２レンズ群と第３レンズ群と第４レンズ群の合成倍率
とする。
【０１６１】
＜２＞前記第１レンズ群が１枚の負レンズと２枚の正レンズから成り、以下の条件式（３）を満足する前記＜１＞に記載のズームレンズ。
（３）Ｎｄ１＞１．７５
但し、
Ｎｄ１：第１レンズ群の２枚の正レンズの屈折率
とする。
【０１６２】
＜３＞前記第３レンズ群が物体側から順に配置された正レンズと正レンズと負レンズから成り、以下の条件式（４）を満足する前記＜１＞又は前記＜２＞に記載のズームレンズ。
（４）ＴＬ３／ＴＬｗ＜０．０９５
但し、
ＴＬ３：第３レンズ群の厚み
ＴＬｗ：広角端における光学全長
とする。
【０１６３】
＜４＞以下の条件式（５）を満足する前記＜１＞から前記＜３＞の何れかに記載のズームレンズ。
（５）０．０＜（Ｒ３ｒ−Ｒ４ｆ）／（Ｒ３ｒ＋Ｒ４ｆ）＜０．５５
Ｒ３ｒ：第３レンズ群の最も像側の面の曲率半径
Ｒ４ｆ：第４レンズ群の最も物体側の面の曲率半径
とする。
【０１６４】
＜５＞以下の条件式（６）を満足する前記＜１＞から前記＜４＞の何れかに記載のズームレンズ。
（６）４≦２−βｗ３４−１／βｗ３４＜４．１
但し、
βｗ３４：広角端における第３レンズ群と第４レンズ群の合成倍率
とする。
【０１６５】
＜６＞ズームレンズと前記ズームレンズによって形成された光学像を電気的信号に変換する撮像素子とを備え、前記ズームレンズは、物体側から順に配置された正の屈折力を有する第１レンズ群と負の屈折力を有する第２レンズ群と正の屈折力を有する第３レンズ群と正の屈折力を有する第４レンズ群とを有し、広角端から望遠端までレンズの位置状態が変化する際に、前記第１レンズ群と前記第２レンズ群の間隔が増大し、前記第２レンズ群と前記第３レンズ群の間隔が減少し、前記第３レンズ群と前記第４レンズ群の間隔が減少し、前記第２レンズ群と前記第３レンズ群の間に開口絞りが配置され、前記第２レンズ群が近距離合焦に際して移動し、以下の条件式（１）及び条件式（２）を満足する撮像装置。
（１）０．９５＜｜ｆｗ１２｜／ｆｗ＜１．２
（２）１４０＜ｆ１／βｔ２３４＜１５０
但し、
ｆｗ１２：広角端における第１レンズ群と第２レンズ群の合成焦点距離
ｆｗ：広角端における全系での焦点距離
ｆ１：第１レンズ群の焦点距離
βｔ２３４：望遠端における第２レンズ群と第３レンズ群と第４レンズ群の合成倍率
とする。
【０１６６】
上記した各実施の形態において示した各部の形状及び数値は、何れも本技術を実施するための具体化のほんの一例に過ぎず、これらによって本技術の技術的範囲が限定的に解釈されることがあってはならないものである。
【図面の簡単な説明】
【０１６７】
【図１】図２乃至図１０と共に本発明ズームレンズを実施するための最良の形態を示すものであり、本図は、屈折力配置図である。
【図２】ズームレンズの第１の実施の形態のレンズ構成を示す図である。
【図３】図４及び図５と共に第１の実施の形態に具体的な数値を適用した数値実施例の収差図を示し、本図は、広角端状態における球面収差、非点収差、歪曲収差及び横収差を示す図である。
【図４】中間焦点距離状態における球面収差、非点収差、歪曲収差及び横収差を示す図である。
【図５】望遠端状態における球面収差、非点収差、歪曲収差及び横収差を示す図である。
【図６】ズームレンズの第２の実施の形態のレンズ構成を示す図である。
【図７】図８及び図９と共に第２の実施の形態に具体的な数値を適用した数値実施例の収差図を示し、本図は、広角端状態における球面収差、非点収差、歪曲収差及び横収差を示す図である。
【図８】中間焦点距離状態における球面収差、非点収差、歪曲収差及び横収差を示す図である。
【図９】望遠端状態における球面収差、非点収差、歪曲収差及び横収差を示す図である。
【図１０】撮像装置の一例を示すブロック図である。
【符号の説明】
【０１６８】
１…ズームレンズ、２…ズームレンズ、ＧＲ１…第１レンズ群、ＧＲ２…第２レンズ群、ＧＲ３…第３レンズ群、ＧＲ４…第４レンズ群、Ｇ１…負レンズ、Ｇ２…正レンズ、Ｇ３…正レンズ、Ｇ９…正レンズ、Ｇ１０…正レンズ、Ｇ１１…負レンズ、１００…撮像装置、１１…ズームレンズ、１２…撮像素子
【図１】
2012252278.tif 000013
【図２】
2012252278.tif 000014
【図３】
2012252278.tif 000015
【図４】
2012252278.tif 000016
【図５】
2012252278.tif 000017
【図６】
2012252278.tif 000018
【図７】
2012252278.tif 000019
【図８】
2012252278.tif 000020
【図９】
2012252278.tif 000021
【図１０】
2012252278.tif 000022